(57)【特許請求の範囲】
【請求項１】
上面に開閉蓋を有する機本体内の上位に設置した受枡内に、上から被乾燥物を投入できるように上面が開口した脱水篭を有し、該脱水篭の支持シャフトを、前記受枡の底面を貫通しその下方に、緩衝支持部材を介して機本体の中間棚の上に固定した基板上に、振動が機本体に直に伝わらないように設置した駆動モータに連繋してなる脱水篭を高速回転可能にした脱水機において、前記脱水篭の下面に、前記受枡との間に露出するシャフトの周囲を覆うスカート部材を設けたことを特徴とする脱水機。
【請求項２】
前記脱水篭が、上面開口部に口径絞り部材を装着してなることを特徴とする請求項１に記載の脱水機。
【請求項３】
前記機本体の正面パネルに、前記駆動モータの起動及び停止スイッチを設けたことを特徴とする請求項１又は２に記載の脱水機。
【発明の詳細な説明】
【０００１】
【産業上の利用分野】
本発明は、衣類、タオルなどの水濡れ物品（被乾燥物）を高速回転させて短時間（数秒〜十数秒程度）で遠心脱水できる脱水機に関するものである。
【０００２】
【従来の技術】
近年、フィットネスクラブ、アスレチッククラブ、スイミングクラブなど各種シティスポーツクラブが各所に盛んに造られている。これらのシティスポーツクラブでは汗や水に濡れた衣類やタオルなどを急速に脱水・乾燥してそのまま持ち帰えれる脱水機が普及しつつある。
【０００３】
上記脱水機は、図４の如く、上面に開閉蓋２を有する機本体１内の上位に設置した受枡４内に、上から衣類やタオルなどの被乾燥物を投入できるように上面が開口した脱水篭６を有し、該脱水篭６の支持シャフト８を、前記受枡４の底面を貫通しその下方に設置した駆動モータ７に連繋してなり、該脱水篭６の回転により衣類やタオルなどから脱水された水分をいったん受枡４に溜め、該受枡４の下面より垂下したパイプ１６を通して機本体１の下部空間に備えた貯水槽１７内に流下させるか、排水施設に連繋した排水受け口（図示せず）に流下させることができるようになっている。
【０００４】
前記脱水篭６のシャフト８は、前記受枡４の底面を貫通しその下方に設置した駆動モータ７に連繋している関係で、シャフト貫通孔に防水ゴムリング１９を嵌め、当該貫通孔から駆動モータ側への漏水を防止している。
【０００５】
前記防水ゴムリング１９は前記貫通孔を封緘すると同時に、高速回転するシャフトに対して接している摺接部１９ａがあり、該摺接部１９ａには耐磨耗性及び摺動性の高い材料からなるリングがインサートされている。
【０００６】
【発明が解決しようとする課題】
しかしながら、脱水篭の篭目から脱水された水分とともに受枡内に放出された繊維くずは、脱水篭の高速回転による巻き込みにより受枡内に起こる渦流にのって中心に集められ、前記シャフトに絡みつく虞があると共に、該シャフトと防水ゴムリングの摺接部との僅かな隙間にも進入し、故障の原因になった。
【０００７】
本発明は、上記の点に鑑み、脱水された水分とともに受枡内に放出された繊維くずなどがシャフトに絡み付いたり、シャフトと防水ゴムリングの摺接部との僅かな隙間に進入することのない脱水機を提供することを目的としている。
【０００８】
【課題を解決するための手段】
上記目的を達成するため、本発明に係る脱水機は、上面に開閉蓋を有する機本体内の上位に設置した受枡内に、上から被乾燥物を投入できるように上面が開口した脱水篭を有し該脱水篭の支持シャフトを、前記受枡の底面を貫通しその下方に、緩衝支持部材を介して機本体の中間棚の上に固定した基板上に、振動が機本体に直に伝わらないように設置した駆動モータに連繋してなる脱水篭を高速回転可能にした脱水機において、前記脱水篭の下面に、前記受枡との間に露出するシャフトの周囲を覆うスカート部材を設けたことを特徴とし、脱水篭の篭目から水分とともに放出され、渦流にのって中心に集められる繊維くずなどがシャフトに絡み付くことを的確に遮蔽できるように構成した。
【０００９】
また、請求項２に記載の発明に係る脱水機は、前記脱水篭が上面開口部に口径絞り部材を装着してなることを特徴とし、規定外の大きさの投入物などが投入されないように規制するとともに、脱水篭の高速回転中に被乾燥物が浮上して跳ね出すことを有効に防止できるように構成した。
【００１０】
さらに、請求項３に記載の発明に係る脱水機は、前記機本体の正面パネルに、前記駆動モータの起動及び停止スイッチを設けたことを特徴とし、スイッチケース内に結露等による水溜まりができないように構成した。
【００１１】
【発明の実施の態様】
以下、この発明の実施の態様を添付図面に基づいて説明する。図１は機本体の内部構成を全体的に示す断面図、図２は要部の拡大断面図、図３は起動及び停止スイッチの拡大断面図である。
【００１２】
図において、１は機本体で、該機本体１は縦長筐体からなり、上面に開閉蓋２を有する。該開口蓋２をヒンジ点２ａを中心に開けると被乾燥物（濡れた衣類やタオルなど）を出し入れするための投入口３が露出する。該投入口３は機本体１内の上位に設置した受枡４の上板５に開口されている。
【００１３】
前記受枡４内には、前記投入口３から被乾燥物を投入できるように上面が開口した脱水篭６を有し、該脱水篭６はシャフト８にて支持されていると共に、該シャフト８は、前記受枡４の底面を貫通しその下方に設置した駆動モータ７に連繋している。該シャフト８は本例では前記モータ７の出力軸Ｒと一体回転できるように固定された接続軸９にジョイント部材Ｊを介して結合されている。
【００１４】
前記脱水篭６の上面開口部には口径絞り部材１０が装着されている。この口径絞り部材１０は、口径１０ａを絞ることにより、規定外に大きい物（例、大型バスタオル）や規定外の物（例、ボストンバッグ）などが投入されないように規制すると共に、脱水篭６が高速回転中に被乾燥物が浮上して跳ね出すことを防止できるようにしている。
【００１５】
前記口径絞り部材１０の口径１０ａは、複数種用意し、本願脱水機の設置場所の事情に合わせて任意の径のものが選択できるようにしておくか、有段階、無段階に調整可能に構成しておくこともある。
【００１６】
前記開閉蓋２は、そのヒンジ部２ａの近傍に前記脱水篭６の駆動モータ７をＯＮ／ＯＦＦするマイクロスイッチ（図示せず）を備えている。即ち、開閉蓋２の開時は前記駆動モータ７を作動不能にし、閉時は作動可能となるように構成し、被乾燥物の出し入れ中に脱水篭６が作動しないように安全性を確保している。
【００１７】
前記駆動モータ７は、前記開閉蓋２を閉めた後、機本体１の正面パネル１′に設けた起動及び停止スイッチ１１を押している時間中起動し、押し動作を解除すると停止するようになっている。即ち、開閉蓋２を閉めても起動及び停止スイッチ１１を意識的に押していない限り作動しないようにし、安全性をより高めている。
【００１８】
前記起動及び停止スイッチ１１は、前述の如く、機本体１の正面パネル１′に設けているが、機本体１の開閉蓋２の上面に設置してもよい。ただ、開閉蓋２の上面に設置した場合は、配線基板などの設置スペースが狭いばかりでなく、スイッチケース内に結露等による水溜まりができる虞があるが、機本体１の正面パネル１′は配線基板１１ａなどの設置スペースが広くとれると共に、スイッチケース１１ｂが縦型になるので結露等による水溜まりができる虞がなくなる。
【００１９】
前記起動及び停止スイッチ１１は、前記開閉蓋２を開けて露出した投入口３から被乾燥物を脱水篭６に投入し、開閉蓋２を閉じて「スタートＯＫ」の状態になると、ランプ１１ｃが点灯（色フィルターを用いて青色に光る）するようになっている。
【００２０】
前記駆動モータ７は防振枠体１２に収納されている。該枠体１２は三本（図には三本のうちの一本を表示）の緩衝支持部材１３を介して機本体１の中間棚１″の上に固定した基板１４上に設置され、モータ７の振動が機本体１に直に伝わらないようになっている。
【００２１】
前記シャフト８にはブレーキ１５が設置されている。該ブレーキ１５は摩擦板１５ａと、該摩擦板１５ａを駆動するソレノイド１５ｂと、バネ（図示せず）から構成され、前記開閉蓋２の開又は閉作動に連動してソレノイド１５ｂが作動して摩擦板１５ａをシュー１５ｃに接触・離反できるように構成されている。
【００２２】
即ち、通電時（開閉蓋２が閉状態で、かつスイッチ１１が押圧されてモータ７の給電経路がオンの時）は制動を解除して脱水篭６を回転可能とし、非通電時はモータ７を制動して脱水篭６を急速停止できるようになっている。
【００２３】
前記受枡４は前記脱水篭６から遠心分離された水を受領するためのもので、脱水篭６を囲繞する函体（円筒体でも角体でもよい。）からなっている。該受枡４の底面には受領した水を排水させるパイプ１６が垂下し、機本体１の下部空間に備えた貯水槽１７に流下させ得るようになっている。尤も、パイプ１６は排水施設に連繋した排水受け口（図示せず）に接続させてもよい。
【００２４】
前記受枡４の底面のシャフト８が貫通した部位には、防水ゴムリング１９が嵌められ、当該貫通孔から駆動モータ７側への漏水を防止している。該防水ゴムリング１９は前記貫通孔を封緘すると同時に、高速回転するシャフトに対して接している摺接部１９ａを有し、該摺接部１９ａには耐磨耗性及び摺動性の高い材料からなるリング（図示せず）がインサートされている。
【００２５】
前記脱水篭７の下面には、前記シャフト８を覆うスカート部材２０が設けられている。該スカート部材２０は高速で回転する脱水篭６の篭目から脱水される水分とともに受枡４内に放出される繊維くず（図示せず）などが、受枡４内において高速で回転する脱水篭６に巻き込まれて生ずる渦流にのって中心に集められたとしても、これを遮蔽する機能を有する。即ち、繊維くずなどが、シャフト８に絡み付いたり、シャフト８と防水ゴムリング１９の摺接部１９ａとの僅かな隙間に進入させないようにしている。
【００２６】
前記貯水槽１７は下面に移動キャスタ２１を備え、機本体１とは別個に出入れ自在になっている。また、貯水槽１７内の水位はレベル計２２で検出し、満杯信号を出力し、警報ランプ２３を点灯すると共に、モータ７への給電を強制遮断して停止させるようになっている。これは貯水槽１７がオーバーフローすることを防止するための構成である。
【００２７】
上記実施例において、使用に際しては、機本体１の開閉蓋２を開けて投入口３より、汗や水で濡れたスポーツウエアやタオルなどの被乾燥物を脱水篭６内に投入する。この場合、規定外に大きい投入物などは口径絞り部材１０により投入規制される。
【００２８】
次いで、開閉蓋２を閉めてスイッチ１１を押圧すると、駆動モータ７に通電されると同時にブレーキ１５のソレノイド１５ｂが作動して摩擦板１５ａをシュー１５ｂから離反させ、脱水篭６を高速回転させる。この高速回転時、被乾燥物は浮上方向の応力をうけるが、前記口径絞り部材１０の作用により被乾燥物の跳ね出しを有効に防止する。
【００２９】
脱水篭６の高速回転により収納されている被乾燥物は遠心力を受け、水分が遠心分離されて受枡４内に排出されるが、その底面に溜まった水はパイプ１６を通して順次流下して貯水槽１７内に溜められる。
【００３０】
高速で回転する脱水篭６の篭目からは水分とともに繊維くずなども受枡４内に放出される。また、脱水篭６の高速回転は受枡４内に中心に巻き込むような渦流を生じさせる。従って、前記繊維くずなどは渦流にのって中心に集められることとなるが、脱水篭６の下面にシャフト８を覆うスカート部材２０が設けられているため、該繊維くずなどはこれに遮蔽され、シャフト８に絡み付くことがないものである。
【００３１】
前記一連の作動は、前記起動及び停止スイッチ１１を押し続けている時間中行われ、該スイッチ１１の押しを解除すると、ブレーキ１５が作動して駆動モータ７を急停止する。しかる後、開閉蓋２を開けて投入口３から脱水篭６内の被乾燥物を取り出すこととなる。
【００３２】
なお、上記実施の態様では本願脱水機として脱水専用のものを示しているが、洗濯機と併用している脱水機であってもよいことは勿論である。
【００３３】
【発明の効果】
以上の如く、本発明に係る脱水機は、上面に開閉蓋を有する機本体内の上位に設置した受枡内に、上から被乾燥物を投入できるように上面が開口した脱水篭を有し、該脱水篭の支持シャフトを、前記受枡の底面を貫通しその下方に、緩衝支持部材を介して機本体の中間棚の上に固定した基板上に、振動が機本体に直に伝わらないように設置した駆動モータに連繋してなる脱水篭を高速回転可能にした脱水機において、前記脱水篭の下面に、前記受枡との間に露出するシャフトの周囲を覆うスカート部材を設けたことを特徴としているから、高速で回転する脱水篭７の篭目からは水分と共に、受枡内に放出された繊維くずなどが脱水篭の高速回転の影響により受枡内に生じた渦流にのって中心に集められたとしても、スカート部材に確実に遮蔽され、シャフトに絡み付かせることがないなどの優れた効果を奏するものである。
【００３４】
また、請求項２に記載の発明に係る脱水機は、前記脱水篭が上面開口部に口径絞り部材を装着してなることを特徴としているから、規定外に大きい投入物などが投入されないように規制できるとともに、脱水篭の高速回転中に被乾燥物が浮上して跳ね出すことを防止できるという優れた効果を奏するものである。
【００３５】
さらに、請求項３に記載の発明に係る脱水機は、前記機本体の正面側上位に、前記駆動モータの起動及び停止スイッチを設けたことを特徴としているから、スイッチケース内に結露等による水溜まりができることがないという優れた効果を奏するものである。
【図面の簡単な説明】
【図１】本発明の機本体の内部構成を全体的に示す断面図である。
【図２】本発明の要部の拡大断面図である。
【図３】本発明の起動及び停止スイッチの拡大断面図である。
【図４】従来の機本体の内部構成を全体的に示す断面図である。
【符号の説明】
１  機本体
２  開閉蓋
３  投入口
４  受枡
５  上板
６  脱水篭
７  駆動モータ
８  シャフト
９  接続軸
１０  口径絞り部材
１０ａ  口径
１１  起動及び停止スイッチ
１２  防振枠体
１３  緩衝支持部材
１４  基板
１５  ブレーキ
１６  パイプ
１７  貯水槽
２０  スカート部材
２１  キャスタ
２２  レベル計
２３  ランプ
Ｊ  ジョイント
Ｒ  出力軸
【図１】
0004018242.tif 000002
【図２】
0004018242.tif 000003
【図３】
0004018242.tif 000004
【図４】
0004018242.tif 000005